(57)【特許請求の範囲】
【請求項１】
支持体に散水ホースの巻取ドラムを回転自在に支持してなるホース巻取機において、
前記支持体を、ほぼ水平状の基台と、該基台の一側縁から立ち上がった支持壁とから構成し、前記支持壁の一側面に、基台とほぼ平行に筒状の支持軸を突設する一方、前記巻取ドラムの筒状胴部内に、外径が前記支持軸の内径よりも若干小さく形成されて前記支持軸の内部で回転自在な中空状の回転軸を一体に設けたことを特徴とするホース巻取機。
【請求項２】
前記支持壁の上端部に、先端の把持部が前記巻取ドラム側へ延出した取手部を折曲形成したことを特徴とする請求項１記載のホース巻取機。
【請求項３】
前記支持軸を、自由端部側が上方へ僅かに立ち上がった傾斜状に折曲形成したことを特徴とする請求項１記載のホース巻取機。
【請求項４】
前記回転軸の先端内部に、一端部に散水ホースが接続される散水側コネクタを嵌合保持すると共に、散水側コネクタの他端部を、前記支持壁に形成された挿通孔に前記回転軸の支持軸からの抜けを規制した状態で回転自在に支持させたことを特徴とする請求項１または２記載のホース巻取機。
【請求項５】
前記散水側コネクタの他端部に、前記支持壁の背面側からスナップリングを嵌着することにより、前記回転軸の支持軸からの抜けを規制したことを特徴とする請求項４記載のホース巻取機。
【請求項６】
前記回転軸の先端内面に係止部を設ける一方、前記散水側コネクタの外周面に、前記係止部に係止して回転軸に対する散水側コネクタの自由回転を規制する係合部を設けたことを特徴とする請求項１から５のいずれかに記載のホース巻取機。
【請求項７】
前記散水側コネクタの他端部に、給水ホースの一端が接続された給水側コネクタを着脱自在に接続すると共に、該給水側コネクタの先端部に、前記支持壁の挿通孔の孔縁付近に設けられた嵌合部に嵌合して散水側コネクタとの連れ回りを規制する規制部を設けたことを特徴とする請求項６記載のホース巻取機。
【発明の詳細な説明】
【技術分野】
【０００１】
本発明は、長尺なホースを巻取ってコンパクトに収納するホース巻取機に関する。
【背景技術】
【０００２】
周知のように、家庭などの植木に散水したり、洗車などに用いられる従来のホース巻取機としては、多種のものが提供されており、その一つとして例えば実公平２−５１９号公報などに記載されているものが知られている。
【０００３】
このホース巻取機は、給水機能を有する合成樹脂材の支持体に、同じく合成樹脂材の巻取ドラムを回転自在に支持してなり、前記支持体は、ほぼコ字形状を呈し、基台の両側縁に一対の両側壁が立設されていると共に、この両側壁の対向した位置に一対の軸受部が形成されている。さらに、両側壁の上端部間には、取手部が取り付けられている。
【０００４】
一方、前記巻取ドラムは、ホースを直接巻き取る筒状の胴部の両端部に一対のフランジ部が一体に設けられている。この両フランジ部の中心部に有する両ボス部が前記支持体の両軸受部に回転自在に支持されており、この一方のフランジ部のボス部に連結したハンドルによって巻取ドラムが回転するようになっている。また、他方のフランジ部のボス部には、水道の蛇口等に給水ホースを介して接続される給水管が装着されていると共に、この給水管に接続管を介して散水ホースが接続されている。
【０００５】
そして、使用時には、散水ホースを引き出すことにより、巻取ドラムが自由に回転して散水ホースを送り出し、所望の引き出し量が確保される。一方、不使用時には、前記ハンドルを回転させることにより、巻取ドラムに散水ホースが自動的に巻き取られてコンパクトに収納するようになっている。
【発明の開示】
【発明が解決しようとする課題】
【０００６】
しかしながら、前記従来のホース巻取機は、支持体の両側壁間に巻取ドラムの両端部を支持する、いわゆる両持ちタイプ構造となっているため、巻取ドラムを安定に支持できるものの、支持体が大型化してしまう。この結果、巻取機の大きな収納スペースが必要になり、小型の物置小屋などには収容が困難になるばかりか、重量の増加が余儀なくされて、持ち運び性が悪化する。
【課題を解決するための手段】
【０００７】
本発明は、前記従来のホース巻取機の実情に鑑みて案出されたもので、請求項１記載の発明は、支持体に散水ホースの巻取ドラムを回転自在に支持してなるホース巻取機において、前記支持体を、ほぼ水平状の基台と、該基台の一側縁から立ち上がった支持壁とから構成し、前記支持壁の一側面に、基台とほぼ平行に筒状の支持軸を突設する一方、前記巻取ドラムの筒状胴部内に、外径が前記支持軸の内径よりも若干小さく形成されて前記支持軸の内部で回転自在な中空状の回転軸を一体に設けたことを特徴としている。
【０００８】
請求項２記載の発明は、前記支持壁の上端部に、先端の把持部が前記巻取ドラム側へ延出した取手部を折曲形成したことを特徴としている。
【０００９】
請求項３記載の発明は、前記支持軸を、自由端部側が上方へ僅かに立ち上がった傾斜状に折曲形成したことを特徴としている。
【００１０】
請求項４記載の発明は、前記回転軸の先端内部に、一端部に散水ホースが接続される散水側コネクタを嵌合保持すると共に、散水側コネクタの他端部を、前記支持壁に形成された挿通孔に前記回転軸の支持軸からの抜けを規制した状態で回転自在に支持させたことを特徴としている。
【００１１】
請求項５記載の発明は、前記散水側コネクタの他端部に、前記支持壁の背面側からスナップリングを嵌着することにより、前記回転軸の支持軸からの抜けを規制したことを特徴としている。
【００１２】
請求項６記載の発明は、前記回転軸の先端内面に係止部を設ける一方、前記散水側コネクタの外周面に、前記係止部に係止して回転軸に対する散水側コネクタの自由回転を規制する係合部を設けたことを特徴としている。
【００１３】
請求項７記載の発明は、前記散水側コネクタの他端部に、給水ホースの一端が接続された給水側コネクタを着脱自在に接続すると共に、該給水側コネクタの先端部に、前記支持壁の挿通孔の孔縁付近に設けられた嵌合部に嵌合して散水側コネクタとの連れ回りを規制する規制部を設けたことを特徴としている。
【発明の効果】
【００１４】
以上の説明で明らかなように、請求項１記載の発明によれば、巻取ドラムに対する支持体の支持をいわゆる片持タイプ構造としたため、ホース巻取機１全体の小型化が図れ、この結果、大きな収容スペースが不要になり、例えば物置小屋内への収納性が良好になると共に、大巾な軽量化が図れ、持ち運び性が良好になる。
【００１５】
請求項２記載の発明によれば、取手部のコンパクト化が図れると共に、把持部を持ち上げた際の全体の重量バランスが良好になり、安定した持ち運びが可能になる。
【００１６】
請求項３記載の発明によれば、支持軸に巻取ドラムや散水ホースの重量荷重が掛かっても回転体を水平かつ安定に支持するため、巻取ドラムの常時安定かつ円滑な回転作用が得られると共に、両軸間の偏荷重の発生が防止されて、偏摩耗が防止される。
【００１７】
請求項４記載の発明によれば、散水側コネクタにより巻取ドラムを支持壁に対して取り付けることが可能になり、別途巻取ドラム取り付け用の部材が不要となるため、部品点数及び作業工数の削減による低コスト化が可能となる。
【００１８】
請求項５記載の発明によれば、巻取ドラムを支持壁に対して簡単な構造でかつ確実に取り付けることが可能になり、組立作業能率の向上と強固な取り付け性が得られる。
【００１９】
請求項６記載の発明によれば、回転軸と散水側コネクタとの強固な一体性が確保される。
【００２０】
請求項７記載の発明によれば、規制部によって給水側コネクタを支持壁に結合して給水側コネクタの散水側コネクタとの連れ回りを防止したため、巻取ドラムの回転時における抵抗負荷の発生を防止できる一方、給水ホースの捩れを防止できる。
【発明を実施するための最良の形態】
【００２１】
図１〜図４は本発明に係るホース巻取機の一実施形態を示す全体図であって、いわゆる片持タイプの構造に形成されている。
【００２２】
すなわち、このホース巻取機１は、ほぼＬ字形状に形成された合成樹脂材の支持体２と、該支持体２に回転自在に支持された合成樹脂材の巻取ドラム３とから主として構成されている。
【００２３】
前記支持体２は、図５〜図７にも示すように、前後方向へ延びてほぼ長方形状の基台５と、該基台５の後端縁から垂直に立ち上った支持壁６とを備え、この支持壁６の上端部に取手部７が一体に設けられている。基台５は、平坦な基板５ａの下端外周縁に垂直に形成された枠部５ｂが一体に立設されていると共に、基板５ａの底面には枠部５ｂと結合された複数の補強リブ５ｃが立設されている。
【００２４】
前記支持壁６は、基台５と同幅の長方形状を呈し、図５にも示すように前記基板５ａと連続一体に立ち上がった内壁部８の外周縁に水平に延出した枠壁部９が一体に設けられていると共に、内壁部８の上下方向のほぼ中央位置に基台５とほぼ並行に延出した支持軸１０が一体に設けられている。
【００２５】
この支持軸１０は、円筒状を呈し、内壁部８に対して垂直方向から一体に固定された基端部１０ａから自由端部１０ｂに亘ってその内周面１０ｃが漸次薄肉テーパ状に形成されており、全長は基台５の長手方向の約２／３程度の長さに設定されている。また、支持軸１０は、自由端部９ｂ側が僅かに上方に立ち上がった傾斜状に形成され、その傾斜角度は約０度３０分に設定されている。さらに、支持軸１０の基端部１０ａ軸心の内壁部８には、後述の散水側コネクタ３０が挿通する挿通孔１１が貫通形成されており、この挿通孔１１の支持軸１０側孔縁に筒状の突起部１２が一体に設けられていると共に、背面側の孔縁には周方向へ間欠的に後述のスナップリング４１が径方向から嵌着する突部１３が一体に設けられている。
【００２６】
また、前記枠壁部９は、図３及び図６にも示すように、一側中央に散水ホース１４のノズル側コネクタ１５を引っ掛けて保持するほぼ半割円筒状の保持部である引掛部１６が設けられていると共に、他側の下端には、後述する不使用時の蛇口側コネクタ６０の接続口を嵌合させて位置決め保持する上下一対の保持用突部１７，１７が一体に設けられている。この保持用突部１７，１７は、図７にも示すように、蛇口側コネクタ６０の接続口が軸方向から嵌着するパイプ状に形成されていると共に、支持体２の成形時の型抜きを可能にするために該型抜き方向へ沿って半割状に形成されている。また、保持用突部１７，１７の突出方向の中程には、保持用突部１７，１７の横断方向の断面が円形状となる略一様断面の係止凸部１７ａ，１７ａが形成されており、この係止凸部１７ａ，１７ａによって保持用突部１７，１７に接続された蛇口側コネクタ６０のガタツキが防止できるようになっている。
【００２７】
前記取手部７は、図１〜図３にも示すように、支持壁６の枠壁部９上端部両側に一対の支持アーム１８，１８を有すると共に、この両支持アーム１８，１８の上端部間に円柱状の把持部１９が架設されている。
【００２８】
また、この取手部７は、両支持アーム１８，１８が支持軸１０の突出側へ所定の角度をもって傾斜状に折曲形成されて、把持部１９の位置が支持軸１０の自由端部１０ｂの先端縁よりも若干内側となるように延出されている。この延出量と傾斜角度によって、把持部１９を持ち上げた際に巻取ドラム３や散水ホース１４等を含めた全体の適正な重量のバランスが取れるようになっている。
【００２９】
前記巻取ドラム３は、図８〜図１０に示すように、筒状胴部２０と、該胴部２０の両端部に一体に設けられたフランジ部２１，２２とを備えており、該両フランジ部２１，２２の各外端縁までの全体の軸方向の長さが図１に示すように基台５の長さとほぼ同一に設定されている。
【００３０】
前記胴部２０は、図９にも示すように段差径状に形成されて、外側フランジ部２２側の所定長さ部位が小径部２０ａに形成され、内側フランジ部２１側が小径部２０ａよりも長い大径部２０ｂに形成されている。また、この小径部２０ａの周壁所定位置には、散水ホース１４の一端部に接続された後述の散水側コネクタ３０を胴部２０内に挿通させる開口部２３が形成されている一方、前記大径部２０ｂの内部には、前記支持軸１０に軸受けされる内部中空状の回転軸２４が設けられている。
【００３１】
この回転軸２４は、胴部２０ｂ内の一端部２４ａが大径部２０ｂと小径部２０ａとの間の段差部に一体に結合されていると共に、他端部２４ｂが内側フランジ部２１の外周端縁より僅かに突出形成されている。また、この回転軸２４は、外周面２４ｃと大径部２０ｂの内周面との間に筒状の空間部２５を形成している。また、回転軸２４は、外径が前記支持軸１０の内径よりも若干小さく形成されていると共に、外周面２４ｃが支持軸１０の内周面１０ｃと同じく他端部２４ｂ側が漸次小径となるようにテーパ状に形成されて、支持軸内周面１０ｃに回転摺動自在に支持されている。さらに、他端部２４ｂの先端２４ｄ内周面には、図９〜図１１に示すように１８０°の対向位置に４つの係止部である突部２６，２７が一体に形成されている。
【００３２】
また、回転軸２４の先端２４ｄの外周縁は、前記支持軸１０底面の円弧状内周縁１０ｄに当接した際に、線接触により安定した着座性を確保するために円弧面状に形成されていると共に、回転軸２４の一端部２４ａ外周面は、前記支持軸１０の自由端部１０ｂの内周面に当接した際に、線接触により安定した着座性を確保するために円弧面状に形成されている。これにより、図１に示した組立状態においては、支持軸１０の両端側において回転軸２４がガタツキ無く摺動自在に支持されるようになっている。
【００３３】
また、前記内外フランジ部２１，２２の円板状回転壁２１ａ，２２ａの対向内面が、ホースの良好な支持性を確保するために波形状に形成されている。さらに、前記外側フランジ部２２の回転壁２２ａの外周部には、球状のハンドル２８を回転自在に支持する筒状の支持突部２９が設けられている。
【００３４】
また、前記回転軸２４の内部２４ｅに挿通される散水側コネクタ３０は、図１２，図１３及び図１５に示すように、後端部に散水ホース１４の一端部１４ａを筒状挾圧部３１と共働して接続する２段状のニップル３２が形成されていると共に、その前端側外周に挾圧部３１の雌ねじが螺着する雄ねじ３３が形成されており、さらに、その前端側には、前記挿通孔１１の孔縁に係止する係止フランジ３４が一体に設けられている。また、この係止フランジ３４の前端側外周に挿通孔１１の内周面で回転自在に支持されるジャーナル部３５を有している。さらに、このジャーナル部３５から挿通孔１１を介して支持壁６の背面側へ突出した先端部には、給水側コネクタ４３と接続される筒状の接続部３６が設けられていると共に、この接続部３６とジャーナル部３５との間には、合成樹脂製のスナップリング４１が嵌着される嵌着溝３７が形成されている。
【００３５】
また、接続部３６は、外周に給水側コネクタ４３が弾性係合する係合溝３６ａが形成されていると共に、先端部の外周面にシールリング３８の保持溝３６ｂが形成されている。さらに、前記係止フランジ３４の外周縁には、図１１及び図１４に示すように前記回転軸２４の各突部２６，２７に軸方向から係合して散水側コネクタ３０を回転軸２４と一体に回転させる４つの係止溝３９，４０が形成されている。
【００３６】
前記スナップリング４１は、図１５及び図１６Ａ，Ｂに示すように、拡縮変形可能なＥリング状を呈し、内側の約１２０°位置に前記嵌着溝３７に嵌着する３つの嵌着突起４２が一体に設けられていると共に、該嵌着突起４２の一側面４２ａが支持壁６の３つの突部１３に係着して、該スナップリング４１を支持壁６に保持させるようになっている。
【００３７】
また、前記給水側コネクタ４３は、図１５及び図１７Ａ，Ｂに示すように、筒状本体４４の後端部に給水ホース４５をリテーナ４６と雌雄ねじを介して共働して接続するニップル４７が一体に形成されていると共に、本体４４の前端側内部に、前記散水側コネクタ３０の接続部３６が嵌挿する嵌挿孔４４ａが形成されている。また、本体４４の外周部には、軸方向へスライドして内部の係止爪４８ａが散水側コネクタ３０の係合溝３６ａに係脱する筒状の係脱部材４８が摺動自在に設けられており、この係脱部材４８はスプリング４９のばね力で係合方向の前方に付勢されている。また、本体４４の前端開口部には、図１８に示すように支持壁６の前記３つの突部１３先端に嵌合して散水側コネクタ３０との連れ回りを防止する規制部である３つの嵌合溝５０が形成されている。
【００３８】
また、前記散水ホース１４は、図１５及び図１９に示すように、そのコネクタ３０との連結個所に、所定長さのコイルスプリング状の保持部材５１が挿入されている。この保持部材５１は、散水ホース１４のコネクタ３０との連結端部が折り曲げられた際に、該連結端部の偏平な潰れを防止するもので、外径がホース１４の内径より小さく形成されていると共に、コネクタ３０側の先端部５１ａが折り返し状に折曲形成されて、ほぼＶ字形状になっている。
【００３９】
一方、前記各コネクタ３０のニップル３２の基端付近の内部には、図１５に示すように、前記保持部材５１の先端部５１ａが挿入された際に、該先端部５１ａの折曲先端縁５１ｂが釣り針状に引っ掛かって保持部材５１の抜けを防止する段差円環状の係止壁５３が一体に形成されている。
【００４０】
したがって、この実施形態によれば、支持体２によって巻取ドラム３の両端を支持することなく、片側だけのいわゆる片持タイプ構造としたため、巻取ドラム３の軸方向側の大きさを大巾に短くでき、ホース巻取機１全体のコンパクト化が図れる。この結果、大きな収容スペースが不要になり、小型の物置小屋内にも十分に収容することが可能になると共に、軽量化が図れるため、持ち運び性が良好になる。
【００４１】
また、支持壁６の支持軸１０の両端側において、巻取ドラム３の回転軸２４を軸受けしたため、巻取ドラム３の安定かつ円滑な回転作用が得られると共に、偏摩耗の発生も防止できる。しかも、支持軸１０を自由端部１０ｂが僅かに立ち上がるように傾斜状に形成したため、この支持軸１０に巻取ドラム３や該巻取ドラム３に巻き取られて内部に水が残留した散水ホース１４の重量荷重が掛かると、ほぼ水平に変形する。
【００４２】
したがって、支持軸１０の内周面１０ｃ全体で回転軸２４の外周面２４ｃ全体を常時摺動させることができるため、巻取ドラム３を常時円滑に回転させることができると共に、回転軸２４の回転摺動時における偏荷重による偏摩耗の発生を一層効果的に防止できる。
【００４３】
また、胴部２０は、支持軸１０に対して空間部２５をもって離間しているため、散水ホース１４の巻絞め力、及び通水時における散水ホース１４の膨らみによる締め付け力等により内方へ潰れ変形しても、支持軸１０に影響を与えず、回転軸２４を常時安定に支持できる。
【００４４】
また、ハンドル２０を外側フランジ部２２の外周側に一体に設けたため、従来のようにフランジ部の中心から外方へ突設した場合に比較して、その突出量を十分に小さくすることができるため、この点でも全体巾を小さくすることが可能になり、小型化を一層助長できる。
【００４５】
さらに、取手部７を支持壁６の上端部にのみ設け、かつその把持部１９を支持アーム１８，１８を介して巻取ドラム３のほぼ中心側の上方位置に配置したため、コンパクト化がさらに助長できると共に、把持部１９を持ち上げた際の全体の重量バランスが良好になり、安定した持ち運びが可能になる。
【００４６】
また、散水側コネクタ３０により巻取ドラム３を支持壁６に対して取り付けることが可能になり、別途巻取ドラム３の取り付け用の部材が不要となるため、部品点数及び作業工数の削減による低コスト化が可能となる。
【００４７】
さらに、散水側コネクタ３０を利用してスナップリング４１によって回転軸２４の支持軸１０からの抜けを規制したため、巻取ドラム３を支持壁６に簡単な構造でかつ確実に取り付けることが可能になり、組立作業能率の向上と強固な取り付け性が得られる。
【００４８】
また、回転軸２４の先端内面に設けられた突部２６，２７に散水側コネクタ３０の係合溝３９，４０が係合して散水側コネクタ３０の自由回転を規制するため、回転軸２４と散水側コネクタ３０との一体性が確保できる。
【００４９】
さらに、支持壁６の枠壁部９の一側中央に設けられた引掛部１６によってノズル側コネクタ１５を引掛けることができるため、散水ノズルの散逸が防止されて散水ホース１４の収納性が向上する。
【００５０】
また、枠壁部９の他側に設けられた保持用突部１７，１７によって蛇口側コネクタ６０も保持することができるため、給水ホース４５の収容性も向上し、持ち運び性も良好となって利便性が高くなる。しかも、保持用突部１７，１７によって蛇口側コネクタ６０を嵌合して閉塞できるため、蛇口側コネクタ６０の開口部内への土や泥などの侵入を防止でき、これら泥などによる給水ホースの詰まりを未然に防止できる。さらには、保持用突部１７，１７を、支持体２の型開き方向へ判割り状態に形成したため、アンダーカット部がなくなり、支持体２の成形作業性が良好になる。また、これに伴い、金型費用や樹脂の使用量の削減による低コスト化が図れる。また、係止凸部１７ａ，１７ａによって保持用突部１７，１７に接続された蛇口側コネクタ６０のガタツキや抜けが防止でき、使い勝手がよい。
【００５１】
さらに、散水ホース１４のコネクタ３０との連絡個所に挿通された保持部材５１によって散水ホース１４の折り曲げ時に潰れが防止できることは勿論のこと、先端部５１ａが折り返し状に形成されているため、コネクタ３０の内部へ容易に挿通できると共に、挿通した後にこの保持部材５１を引っ張ると、先端縁５１ｂがコネクタ３０内部に釣り針り状に引っ掛かるため、不用意な抜け出しを確実に防止でき、強固な取り付け性が得られる。特に、コネクタ３０の内部に設けられた係止爪５３に引っ掛かった場合はより確実に固着させることができる。
【図面の簡単な説明】
【００５２】
【図１】本発明のホース巻取機の一実施形態を示す縦断面図である。
【図２】同ホース巻取機の側面図である。
【図３】同ホース巻取機の斜視図である。
【図４】同ホース巻取機の平面図である。
【図５】本実施形態に供される支持体の縦断面図である。
【図６】同支持体の正面図である。
【図７】同支持体の背面図である。
【図８】本実施形態に供される巻取ドラムの正面図である。
【図９】同巻取ドラム縦断面図である。
【図１０】図９のＡ矢視図である。
【図１１】回転軸と散水側コネクタの係合状態を示す断面図である。
【図１２】本実施形態に供される散水側コネクタの正面図である。
【図１３】同散水側コネクタの縦断面図である。
【図１４】図１２のＢ矢視図である。
【図１５】散水側コネクタと給水側コネクタの接続状態を示す断面図である。
【図１６】Ａはスナップリングの正面図、ＢはＡのＣ矢視図である。
【図１７】Ａは給水側コネクタの正面図、Ｂは同断面図である。
【図１８】図１７ＡのＤ矢視図である。
【図１９】本実施形態に供される保持部材の斜視図である。
【符号の説明】
【００５３】
１    ホース巻取機
２    支持体
３    巻取ドラム
５    基台
６    支持壁
７    取手部
１０  支持軸
１１  挿通孔
１２  突起部
１３  突部
１４  散水ホース
１６  引掛部
１７  保持用突部（保持部）
１８  支持アーム
１９  把持部
２０  胴部
２１，２２  フランジ部
２４  回転軸
２６，２７  突部（係止部）
３０  散水側コネクタ
３９，４０  係止溝（係合部）
４１  スナップリング
４３  給水側コネクタ
４５  給水ホース
５１  保持部材
５１ａ  先端部
【図１】
0003559037.tif 000002
【図２】
0003559037.tif 000003
【図３】
0003559037.tif 000004
【図４】
0003559037.tif 000005
【図５】
0003559037.tif 000006
【図６】
0003559037.tif 000007
【図７】
0003559037.tif 000008
【図８】
0003559037.tif 000009
【図９】
0003559037.tif 000010
【図１０】
0003559037.tif 000011
【図１１】
0003559037.tif 000012
【図１２】
0003559037.tif 000013
【図１３】
0003559037.tif 000014
【図１４】
0003559037.tif 000015
【図１５】
0003559037.tif 000016
【図１６】
0003559037.tif 000017
【図１７】
0003559037.tif 000018
【図１８】
0003559037.tif 000019
【図１９】
0003559037.tif 000020